【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
光学部材と、
受光素子と、
前記光学部材を透過した光を前記受光素子により検出する第１の検出動作、および前記光学部材で反射した光および該光学部材を介さない光のうちいずれか一方を前記受光素子により検出する第２の検出動作を行う検出手段と、
前記第１および第２の検出動作での前記受光素子からの出力に基づいて、光学系の焦点調節制御を行う制御手段とを有することを特徴とする撮像装置。
【請求項２】
第１および第２の光学部材と、
受光素子と、
前記第１の光学部材を透過して前記第２の光学部材で反射した光を前記受光素子により検出する第１の検出動作、および前記第１の光学部材を透過せずに前記第１および第２の光学部材のうちいずれか一方で反射した光を前記受光素子により検出する第２の検出動作を行う検出手段と、
前記第１および第２の検出動作での前記受光素子からの出力に基づいて、光学系の焦点調節制御を行う制御手段とを有することを特徴とする撮像装置。
【請求項３】
前記制御手段は、前記第１および第２の検出動作における前記受光素子の出力間での変化に基づいて焦点調節制御を行うことを特徴とする請求項１又は２に記載の撮像装置。
【請求項４】
前記制御手段は、前記第１および第２の検出動作での前記受光素子からの出力に基づいて、前記光学系に含まれるフォーカシングレンズの焦点調節のための駆動後の位置を補正するための情報を生成することを特徴とする請求項１ないし３のいずれか１項に記載の撮像装置。
【請求項５】
前記検出手段は、前記第１の検出動作と、前記第２の検出動作として前記光学部材を介さない光を前記受光素子により検出する動作とを行う第１の検出モード、および前記第１の検出動作と、前記第２の検出動作として前記光学部材で反射した光を前記受光素子により検出する動作とを行う第２の検出モードを有し、
該撮像装置は、前記第１および第２の検出モードのうちいずれか一方を選択する選択手段を有することを特徴とする請求項１に記載の撮像装置。
【請求項６】
前記検出手段は、前記第１の検出動作と、前記第２の検出動作として前記第２の光学部材で反射した光を前記受光素子により検出する動作とを行う第１の検出モード、および前記第１の検出動作と、前記第２の検出動作として前記第１の光学部材で反射した光を前記受光素子により検出する動作とを行う第２の検出モードを有し、
該撮像装置は、前記第１および第２の検出モードのうちいずれか一方を選択する選択手段を有することを特徴とする請求項２に記載の撮像装置。
【請求項７】
前記受光素子は、位相差検出方式により前記光学系の焦点検出を行うための焦点検出センサを構成することを特徴とする請求項１ないし６のいずれか１項に記載の撮像装置。
【請求項８】
前記制御手段は、前記第１および第２の検出動作のうちいずれか一方での前記受光素子からの出力に基づいて焦点調節制御を行う第１の焦点調節モードと、前記第１および第２の検出動作の両方での前記受光素子からの出力に基づいて焦点調節制御を行う第２の焦点調節モードとを有することを特徴とする請求項１ないし７のいずれか１項に記載の撮像装置。
【請求項９】
被写体画像を取得するために用いられる撮像素子と、
光学ファインダと、
前記第１および第２の光学部材を含み、前記第１の光学部材で反射した光を前記光学ファインダに導き、該第１の光学部材を透過して前記第２の光学部材で反射した光を前記受光素子に導く第１の状態と、前記第１の光学部材で反射した光を前記受光素子に導き、該第１の光学部材を透過した光を前記撮像素子に向かわせる第２の状態と、前記第１および第２の光学部材を介さない光を前記撮像素子に向かわせる第３の状態と、前記第１の光学部材を介さずに前記第２の光学部材で反射した光を前記受光素子に導く第４の状態とに切換え可能な光路切換手段とを有することを特徴とする請求項２に記載の撮像装置。
【請求項１０】
前記検出手段は、前記光路切換手段が前記第１の状態にあるときに前記第１の検出動作を行い、前記光路切換手段が前記第２の状態および前記第４の状態のうちいずれか一方にあるときに前記第２の検出動作を行うことを特徴とする請求項９に記載の撮像装置。
【請求項１１】
該撮像装置は、前記光路切換手段を前記第１の状態として前記光学ファインダによる被写体観察を可能とし、前記光路切換手段を前記第３の状態に切り換えて被写体画像の撮像を行う光学ファインダ撮像モードを有し、
該光学ファインダ撮像モードにおいて、前記光路切換手段は、前記第１の状態から前記第４の状態を経て前記第３の状態に切り換わることを特徴とする請求項９又は１０に記載の撮像装置。
【請求項１２】
前記撮像素子を用いて取得された画像を表示する電子ファインダを有し、
該撮像装置は、前記光路切換手段を前記第２の状態として前記電子ファインダによる被写体観察を可能とし、前記光路切換手段を前記第３の状態に切り換えて被写体画像の撮像を行う電子ファインダ撮像モードを有し、
該電子ファインダ撮像モードにおいて、前記光路切換手段は、前記第２の状態から前記第１の状態を経て前記第３の状態に切り換わることを特徴とする請求項９ないし１１のいずれか１項に記載の撮像装置。
【請求項１３】
前記光学系は、該撮像装置に対して着脱可能なレンズ装置が有することを特徴とする請求項１ないし１２のいずれか１項に記載の撮像装置。
【請求項１４】
光学部材と、受光素子とを有する撮像装置の制御方法であって、
前記光学部材を透過した光を前記受光素子により検出する第１の検出動作、および前記光学部材で反射した光および該光学部材を介さない光のうちいずれか一方を前記受光素子により検出する第２の検出動作を行うステップと、
前記第１および第２の検出動作での前記受光素子からの出力に基づいて、光学系の焦点調節制御を行うステップとを有することを特徴とする撮像装置の制御方法。
【請求項１５】
第１および第２の光学部材と、受光素子とを有する撮像装置の制御方法であって、
前記第１の光学部材を透過して前記第２の光学部材で反射した光を前記受光素子により検出する第１の検出動作、および前記第１の光学部材を透過せずに前記第１および第２の光学部材のうちいずれか一方で反射した光を前記受光素子により検出する第２の検出動作を行うステップと、
前記第１および第２の検出動作での前記受光素子からの出力に基づいて、光学系の焦点調節制御を行うステップとを有することを特徴とする撮像装置の制御方法。
【手続補正２】
【補正対象書類名】明細書
【補正対象項目名】発明の名称
【補正方法】変更
【補正の内容】
【発明の名称】撮像装置およびその制御方法
【手続補正３】
【補正対象書類名】明細書
【補正対象項目名】０００１
【補正方法】変更
【補正の内容】
【０００１】
本発明は、焦点調節制御機能を有する撮像装置およびその制御方法に関する。
【手続補正４】
【補正対象書類名】明細書
【補正対象項目名】０００７
【補正方法】変更
【補正の内容】
【０００７】
上記目的を達成するために、本発明の撮像装置は、光学部材と、受光素子と、光学部材を透過した光を受光素子により検出する第１の検出動作、および光学部材で反射した光および該光学部材を介さない光のうちいずれか一方を受光素子により検出する第２の検出動作を行う検出手段と、第１および第２の検出動作での受光素子からの出力に基づいて、光学系の焦点調節制御を行う制御手段とを有することを特徴とする。
【手続補正５】
【補正対象書類名】明細書
【補正対象項目名】０００８
【補正方法】変更
【補正の内容】
【０００８】
また、本発明の撮像装置は、第１および第２の光学部材と、受光素子と、第１の光学部材を透過して第２の光学部材で反射した光を受光素子により検出する第１の検出動作、および第１の光学部材を透過せずに前記第１および第２の光学部材のうちいずれか一方で反射した光を受光素子により検出する第２の検出動作を行う検出手段と、第１および第２の検出動作での受光素子からの出力に基づいて、光学系の焦点調節制御を行う制御手段とを有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、第１および第２の検出動作における受光素子からの出力の違いを利用して光源を特定することができる。したがって、従来のように赤外センサを用いることなく、光源の種類に応じた適切な焦点調節制御を行うことができる。
【手続補正９】
【補正対象書類名】明細書
【補正対象項目名】００４９
【補正方法】変更
【補正の内容】
【００４９】
撮像系は、被写体からの光束を結像光学系１０３を介して撮像素子１０６の撮像面に結像させる光学処理系である。撮像系は、交換レンズ１０２内の絞り（光量調節ユニット）とシャッタ１１３における先幕および後幕の走行とを調節して、適切な光量で撮像素子１０６を露光する。
【手続補正１０】
【補正対象書類名】明細書
【補正対象項目名】００６２
【補正方法】変更
【補正の内容】
【００６２】
制御系は、外部操作に応じて撮像系、画像処理系および記録再生系における各回路の駆動を制御する。例えば、制御系は、レリーズボタン１２０が押圧操作されたことを検出して、撮像素子１０６の駆動、ＲＧＢ画像処理回路１３１の動作、記録処理回路１３３の圧縮処理などを制御する。また、制御系は、情報表示回路１４２によって光学ファインダ内に表示される情報における各セグメントの状態を制御する。
【手続補正１１】
【補正対象書類名】明細書
【補正対象項目名】００６９
【補正方法】変更
【補正の内容】
【００６９】
絞りは、レンズシステム制御回路１４１からの指令に応じて像面側に向かう被写体からの光束の光量を調節する。なお、カメラシステム制御１３５とレンズシステム制御回路１４１は、交換レンズ１０２側のマウント部電気接点（通信ユニット）１０２ａおよびカメラ本体１０１側のマウント部電気接点１０１ａを介して通信が行えるように構成されている。１４５は光路切換ユニットを構成するハーフミラー１１１とサブミラー１２２を駆動するミラー駆動機構である。
【手続補正１２】
【補正対象書類名】明細書
【補正対象項目名】０１１４
【補正方法】変更
【補正の内容】
【０１１４】
ステップＳ３では、設定されているファインダモードを判別し、ＯＶＦモードに設定されている場合にはステップＳ４Ａに進み、ＥＶＦモードに設定されている場合にはステップＳ４Ｂに進む。
【手続補正１３】
【補正対象書類名】明細書
【補正対象項目名】０１２１
【補正方法】変更
【補正の内容】
【０１２１】
そして、ＡＦ制御回路１４０とレンズシステム制御回路１４１による焦点調節制御により、結像光学系１０３のフォーカシングレンズを駆動する。また、レンズシステム制御回路１４１は、演算された絞り値に基づいて絞りを駆動し、光量を調節する。この後、合焦確認のために再度、焦点検出動作を行い、合焦していないと判別された場合には再度フォーカシングレンズ駆動量の演算と、フォーカシングレンズの駆動とを行ってもよい。